(57)【特許請求の範囲】
【請求項１】
入金された貨幣を所定金種に振分けて、振分けられた金種の貨幣を該当する金種毎の釣貨幣ストックに格納すると共に、前記釣貨幣ストックに格納された貨幣を釣貨幣として用いる貨幣処理装置において；
投入された貨幣の金種を識別し、また該貨幣を計数し、前記識別した金種と計数した数量に応じた情報を出力する識別手段と；
該識別手段で識別され、金種に応じた前記釣貨幣ストックに振り分けられ、格納される前記貨幣の金種及び数量を検出して出力する振分金種検出手段と；
前記振分金種検出手段の出力と、前記識別手段の出力を比較し、金種及び数量についての整合性を確認する手段と；
前記整合性が確認できない前記釣貨幣ストックについては、異金種貨幣が混入したと判断して、釣貨幣の運用対象から外す異金種混入釣貨幣ストック管理手段と；
前記異金種混入釣貨幣ストック管理手段にて異金種貨幣が混入したと判断された釣貨幣ストックの担当する金種よりも、小額の金種を担当する釣貨幣ストックにより釣貨幣の支払いを行う縮退運用手段とを備える；
貨幣処理装置。
【請求項２】
さらに釣貨幣の支払額に相当する金額を表示するチケットを発券する釣銭チケット発券手段を備え；
前記異金種混入釣貨幣ストック管理手段において、ある金種の釣貨幣ストックに異金種貨幣の混入したことを検知したときは、当該異金種貨幣の混入した釣貨幣ストックの担当する金種よりも小額の金種により釣貨幣の支払いができない場合に、前記釣銭チケット発券手段により釣銭チケットを発券する、
請求項１に記載の貨幣処理装置。
【請求項３】
さらに縮退運用手段により、前記異金種貨幣の混入した釣貨幣ストックの担当する金種よりも小額の金種を担当する釣貨幣ストックにより釣貨幣の払戻しを行うのでは、釣貨幣の数量が過大になるか判断する釣貨幣払戻し判断手段と；
釣貨幣の支払額に相当する金額を表示するチケットを発券する釣銭チケット発券手段とを備え；
前記釣貨幣払戻し判断手段で釣貨幣の数量が過大になるとされた案件では、前記釣銭チケット発券手段により釣貨幣チケットを発券する、
請求項１又は請求項２に記載の貨幣処理装置。
【請求項４】
前記釣貨幣ストックは、一部の金種について、放出する貨幣について収容されるべき金種と一致しているか検出する放出貨幣金種検出手段と、前記放出貨幣金種検出手段で不適当とされた場合、貨幣を回収する貨幣回収制御手段とを備え；
前記異金種混入釣貨幣ストック管理手段は、前記放出貨幣金種検出手段と前記貨幣回収制御手段を備える金種の釣貨幣ストックについては、異金種貨幣の混入した釣貨幣ストックについても釣貨幣の支払い対象に含めることを特徴とする、
請求項１乃至請求項３の何れかに記載の貨幣処理装置。
【請求項５】
入金された貨幣を所定金種に振分けて、振分けられた金種の貨幣を該当する金種毎の釣貨幣ストックに格納すると共に、前記釣貨幣ストックに格納された貨幣を釣貨幣として用いる貨幣処理装置の縮退運用方法であって；
投入された貨幣の金種を識別し、さらに該貨幣を計数し、前記識別した金種と計数した数量に応じた情報を出力する識別工程と；
該識別工程で識別され、金種に応じた前記釣貨幣ストックに振り分けられ、格納される貨幣の金種及び数量を検出して出力する振分金種検出工程と；
前記振分金種検出工程の出力と、前記識別工程の出力を比較し、金種及び数量についての整合性を確認する工程と；
前記整合性が確認できない前記釣貨幣ストックについては、異金種貨幣が混入したと判断して、釣貨幣の運用対象から外す工程と；
前記異金種貨幣の混入した釣貨幣ストックの担当する金種よりも小額の金種を担当する当該釣貨幣ストックにより釣貨幣の支払いを行う工程とを；
有することを特徴とする前記貨幣処理装置の運用方法。
【発明の詳細な説明】
【０００１】
【発明の属する技術分野】
本発明は、自動販売機、駐車場機器など(以後取引装置と言う)に内蔵される貨幣処理装置に関し、特に硬貨や紙幣の収容枚数を増大させると共に、安定した硬貨や紙幣の放出が行える貨幣処理装置に関する。また、本発明は貨幣処理装置において、金種毎に設けられた釣貨幣ストックに誤って異金種貨幣の混入した場合に、貨幣処理装置としての動作を出来るだけ継続できる貨幣処理装置の運用方法に関する。
【０００２】
【従来の技術】
貨幣処理装置には、利用者による貨幣を適宜振分けて循環釣銭部に収容し、釣銭として流用するものがある。このような貨幣処理装置には、利用者による入金貨幣を現品で返却可能とするために一時保持する保留部を備える形式と、例えば本出願人の提案にかかる特開２００１−４３４２５号公報に開示されているような収容直前の硬貨を一時保持する保留部を除去して小型化した形式とがある。
【０００３】
前者の形式においては、振分け不良が発生した場合には、一時保留部の作動により返却することで、循環釣銭部の所定金種のスロットには対応する金種のみが収容されるようにしている。そこで、釣銭の支払い機能が確実に確保される。
【０００４】
他方、後者の形式においては、保留部を除去してあるため、誤った金種の硬貨が循環釣銭部の所定金種のスロットに収容される場合が、稀な確率ではあるが発生している。このような異金種混入した状態では、循環釣銭部における釣銭として正確な支払いが確保できないため、取引装置の運用を停止して、保守作業員による異金種混入スロットの硬貨回収作業が行われている。
【０００５】
【発明が解決しようとする課題】
しかし近年、貨幣処理装置が用いられる取引装置の運用として、稼働時間を延ばすため循環釣銭部への硬貨収納枚数が増やされ、取扱われる硬貨が大量なものとなっている。この循環運用を行うためには、循環釣銭部における正確な動作が必要不可欠である。
【０００６】
他方、コンビニエンスストアのような従来の金融機関と比較して狭隘な設置空間しか確保されていない場所にも、貨幣処理装置の導入割合が高まっている。そして、コンビニエンスストアの店員は、従来の金融機関の職員として比較すると熟練度が低く、そのため異金種混入スロットが発生した場合に店員側で対処できない事態が増加すると予想される。このとき、保守作業員によって対処する体制を引き続き採用すると、保守作業の回数が増大して顧客満足度が低下するおそれがある。
【０００７】
本発明は、上述する課題を解決したもので、異金種混入スロットが発生した場合でも、金銭授受機能を出来るだけ確保して、保守作業員による保守がされるまで間、利用者による利用可能な状態を確保する貨幣処理装置並びにその運用方法を提供することを目的としている。
【０００８】
【課題を解決するための手段】
前記目的を達成するために、本発明の貨幣処理装置は、図１に示すように、入金された貨幣を所定金種に振分けて、振分けられた金種の貨幣を該当する金種毎の釣貨幣ストック１８に格納すると共に、釣貨幣ストック１８に格納された貨幣を釣貨幣として用いる貨幣処理装置において、投入された貨幣の金種を識別し、また該貨幣を計数し、識別した金種と計数した数量に応じた情報を出力する識別手段１４と、識別手段１４で識別され、金種に応じた釣貨幣ストック１８に振り分けられ、格納される貨幣の金種及び数量を検出して出力する振分金種検出手段１７を備えている。さらに、図４に示すように、振分金種検出手段１７の出力と、識別手段１４の出力を比較し、金種及び数量についての整合性を確認する手段３０８と、整合性が確認できない釣貨幣ストック１８については、異金種貨幣が混入したと判断して、釣貨幣の運用対象から外す異金種混入釣貨幣ストック管理手段３１２と、異金種混入釣貨幣ストック管理手段３１２にて異金種貨幣が混入したと判断された釣貨幣ストックの担当する金種よりも、小額の金種を担当する釣貨幣ストックにより釣貨幣の支払いを行う縮退運用手段３２２とを備えるものである。
【０００９】
このように構成された装置においては、振分金種検出手段１７により釣貨幣ストック１８に格納される貨幣の金種を検出する。低い確率ではあるが、釣貨幣ストック１８に格納されるべき貨幣の金種と異なる金種の貨幣が、ある金種の釣貨幣ストック１８に格納される状態となる。そこで、振分金種検出手段１７により異金種貨幣の混入した釣貨幣ストックを検出した場合には、異金種混入釣貨幣ストック管理手段３１２により異金種貨幣の混入した釣貨幣ストックについては釣貨幣の運用対象から外す。縮退運用手段３２２により、異金種貨幣の混入したと判断された釣貨幣ストックの担当する金種よりも、小額の金種を担当する釣貨幣ストックにより釣貨幣の支払いを行うことで、貨幣処理装置の運用を継続して、利用者の便宜を確保する。
【００１０】
好ましくは、図４に示すように、さらに釣貨幣の支払額に相当する金額を表示するチケットを発券する釣銭チケット発券手段３２４を備え、異金種混入釣貨幣ストック管理手段３１２において、ある金種の釣貨幣ストックに異金種貨幣の混入したことを検知したときは、当該異金種貨幣の混入した釣貨幣ストックの担当する金種よりも小額の金種により釣貨幣の支払いができない場合に、釣銭チケット発券手段３２４により釣銭チケットを発券する構成とすると、例えば最小貨幣価値を有する金種の釣貨幣が釣銭として利用できない場合のように、異金種貨幣の混入した釣貨幣ストックの担当する金種よりも小額の金種により釣貨幣の支払いができない場合でも、釣銭チケットを発券して貨幣処理装置の運用を継続して、利用者の便宜を確保できる。
【００１１】
好ましくは、図４に示すように、さらに縮退運用手段３２２により、前記異金種貨幣の混入した釣貨幣ストックの担当する金種よりも小額の金種を担当する釣貨幣ストックにより釣貨幣の払戻しを行うのでは、釣貨幣の数量が過大になるか判断する釣貨幣払戻し判断手段３２６と、釣貨幣の支払額に相当する金額を表示するチケットを発券する釣銭チケット発券手段３２４とを備え、釣貨幣払戻し判断手段３２６で釣貨幣の数量が過大になるとされた案件では、釣銭チケット発券手段３２４により釣貨幣チケットを発券する構成とすると、釣貨幣の数量が過大となって、そのまま釣貨幣を支払ったのでは利用者に不便や困惑を生じる場合には、釣銭チケットを発券して貨幣処理装置の運用を継続して、利用者の便宜を確保する。
【００１２】
好ましくは、図１並びに図４に示すように、釣貨幣ストック１８は一部の金種について、放出する貨幣について収容されるべき金種と一致しているか検出する放出貨幣金種検出手段１９と、放出貨幣金種検出手段１９で不適当とされた場合、貨幣を回収する貨幣回収制御手段３２８とを備え、異金種混入釣貨幣ストック管理手段３１２は、放出貨幣金種検出手段１９と貨幣回収制御手段３２８を備える金種の釣貨幣ストックについては、異金種貨幣の混入した釣貨幣ストックについても釣貨幣の支払い対象に含める構成とすると、釣貨幣の額を間違えるおそれがない為、利用者にとって都合の良いよい貨幣処理装置の運用ができる。
【００１３】
前記目的を達成するために、本発明の貨幣処理装置の運用方法は、図１、図８に示すように、入金された貨幣を所定金種に振分けて、振分けられた金種の貨幣を該当する金種毎の釣貨幣ストック１８に格納すると共に、釣貨幣ストック１８に格納された貨幣を釣貨幣として用いる貨幣処理装置の運用方法である。即ち、投入された貨幣の金種を識別し、さらに該貨幣を計数し、識別した金種と計数した数量に応じた情報を出力する識別工程と、該識別工程で識別され、金種に応じた釣貨幣ストック１８に振り分けられ、格納される貨幣の金種及び数量を検出して出力する振分金種検出工程（Ｓ４０２）と、振分金種検出工程の出力と、前記識別工程の出力を比較し、金種及び数量についての整合性を確認する工程（Ｓ４０４）と、整合性が確認できない釣貨幣ストック１８については、異金種貨幣が混入したと判断して、釣貨幣の運用対象から外す工程（Ｓ４０６）と、異金種貨幣の混入した釣貨幣ストックの担当する金種よりも小額の金種を担当する当該釣貨幣ストックにより釣貨幣の支払いを行う工程（Ｓ４０８）を有している。
【００１４】
【発明の実施の形態】
以下、本発明の実施の形態について、図面を参照して説明する。なお、各図において互いに同一あるいは相当する部材には同一符号又は類似符号を付し、重複した説明は省略する。図１は本発明の一実施の形態を示す取引装置の全体構成ブロック図を表したものである。
【００１５】
図において、貨幣処理装置１は、取引装置内部に設けられ貨幣を媒体の種類別に処理するもので、硬貨処理装置２、紙幣処理装置３、並びにカード処理装置４が設けられている。硬貨処理装置２は、補助貨幣としての硬貨を取扱う。紙幣処理装置３は、貨幣としての紙幣を取扱う。カード処理装置４は、例えばプリペイドカードやクレジット機能を有するＩＣカードにより、利用金銭相当額を引落す処理を行うもので、例えば磁気情報リード／ライト装置、バーコードリード／ライト装置、電子情報リード／ライト装置等が用いられる。
【００１６】
ここで取引装置は、自動販売機、駐車場機器等の、金銭の支払いに対して役務の提供を表すチケットやクーポンを顧客に対して発行したり、商品の提供を行う機器である。なお、通貨の単位及び貨幣の発行等に関する法律では、第五条「貨幣の種類は、五百円、百円、五十円、十円、五円及び一円の六種類とする。」と規定し、第二条第三項「第一項に規定する通貨とは、貨幣及び日本銀行法第四十六条第一項の規定により日本銀行が発行する銀行券をいう。」と規定しているが、ここでは貨幣として硬貨のほかに紙幣を含むものとする。
【００１７】
接客部５は、取引装置の前面に設けられ、利用者が操作する盤面である。取引装置が自動販売機の場合には、接客部５には購入ボタン５１と選択ボタン５２が設けられると共に、必要に応じて領収券発行口が設けられる。取引装置が駐車場機器（図示せず）の場合には、接客部５には駐車券挿入口や領収券発行口が設けられる。取引装置では、接客部５の操作により利用金額が決定される。決定された利用金額情報が操作指示手段７に入力される。
【００１８】
係員操作部６は、取引装置の裏面や装置内に設けられ、係員が操作する機構である。係員操作部６において、取引装置に対する各種設定、売上貨幣の回収処理、売上情報の確認が行われる。売上貨幣の回収時、係員操作部６の操作面（図示せず）に設けられた回収スイッチ６２の操作により、回収指示情報が操作指示手段７に対して送信される。係員操作部６には、取引装置に対する各種設定等を初期化するリセットスイッチ６１も設けられている。
【００１９】
操作指示手段７は、取引装置の接客部５、係員操作部６、発券装置８並びに貨幣処理装置１を含めて統括して制御する機器で、例えばマイクロプロセッサとＩ／Ｏ装置を組合せた機器である。ここでは、操作指示手段７は、取引装置の主制御部に設けてあるが、貨幣処理装置１の制御部３０の内部に設けても良い。
【００２０】
発券装置８は、取引装置内に設けられ、紙製やプラスチック製の券、チケット、クーポンを発行する機器で、例えば熱転写プリンタ、インクジェットプリンタ、感熱式プリンタ、磁気情報書込み装置などが用いられる。ここで、券としては、取引装置としての自動販売機、駐車場機器における領収券などが該当する。なお、本発明では、縮退運用や釣銭放出の異常時により硬貨放出が不可能な場合、釣銭部制御手段３２からの放出異常情報に基づき発券指示情報が入力され、硬貨に代わる兌換券として発行される券も発行される。
【００２１】
続いて、貨幣処理装置１としての硬貨処理装置２の詳細を説明する。硬貨処理装置２は、投入口１０、繰出部１２、識別部１４、振分部１６、振分金種検出手段としての振分検出部１７、釣貨幣ストックとしての循環釣銭部１８、放出貨幣金種検出手段１９、出金搬送部２０、放出口２２、回収口２４、補充口２６並びに制御部３０を備えている。
【００２２】
投入口１０は、利用者が硬貨の複数枚投入を可能としている。繰出部１２は、投入口１０に一括投入された複数の硬貨を一枚ずつ分離し、識別部１４へ搬送する。識別部１４は、投入された硬貨の識別を行うセンサで、硬貨の真偽と種類を識別する。具体的には、硬貨の外形や重量により機械的に識別する機械的識別と、コイル等を用いて硬貨表面に発生する渦電流により識別する電子的識別と、ＣＣＤのような画像認識素子により硬貨表面の模様を識別する光学的識別等が用いられている。
【００２３】
図２は硬貨処理装置２の側面図である。硬貨が外国硬貨のような国内通貨としての通用力を持たない場合は、識別部１４にて返却すべきと判断される。そこで、返却すべきと判断された硬貨は、振分部１６の入口付近に設けられた返却シュート１４２を経由して、リジェクト硬貨返却口２１８（図３参照）に送られ、硬貨の投入者に返却される。リジェクト硬貨には、小額であるため取扱わない硬貨、例えば１円硬貨や５円硬貨を含むように構成しても良い。
【００２４】
振分部１６は、選別部とも呼ばれ、硬貨を５０円硬貨、１００円硬貨、１０円硬貨、５００円硬貨等に振り分け、計数するもので、例えば硬貨の外径を用いて径の小さい硬貨から逐次分類する方式等がある。振分られた硬貨は、入金シュート１６２を経て循環釣銭部１８に設けられた所定の金種の硬貨収納部に送られる。振分検出部１７は逐次分類をする振分板（図示せず）および入金シュート１６２を通過する硬貨を検出する通過センサと計数センサを有するもので、例えばフォトインタラプタを用いた光学式センサが用いられる。通過センサは、振分板の例えば振分孔の間に設けられており、また計数センサは循環釣銭部１８で取扱う金種の収納部毎に設けられている。振分検出部１７の計数センサや通過センサからの計測信号は、制御部３０の比較手段３０８に入力される。
【００２５】
制御部３０は、識別部１４での金種及び計数データと振分検出部１７での収納・計数情報とを比較することで、振分部１６での硬貨の振分が適切に行われているか検出している。即ち、詰まり・追い越し・オーバーランなどにより、循環釣銭部１８の各金種の硬貨を収納するストック（金種収納部）に誤って異なる金種の硬貨が混入する可能性がある。しかし、金種収納部に誤って異なる金種の硬貨が混入すると、釣銭として好ましくない。そこで、振分部１６での硬貨の振分状態を制御部３０にて監視している。
【００２６】
循環釣銭部１８は、釣硬貨ストックとも呼ばれ、金種毎に、硬貨を例えば数十枚から数百枚のように大量に収納する金種収納部と、硬貨を放出する放出機構を備えるものである。循環釣銭部１８の放出機構は、取引により釣銭が必要な場合や回収時に作動し、釣銭としての硬貨を出金搬送部２０へ放出する。また、循環釣銭部１８の放出機構は、回収時には硬貨ストックに格納されている全ての硬貨を、一定速度で一枚ごとに出金搬送部２０へ放出する。放出貨幣金種検出手段１９は、循環釣銭部１８のうち５００円硬貨のような高額の金種について設けられるもので、放出する貨幣について収容されるべき金種と一致しているか検出する。
【００２７】
出金搬送部２０は、搬送モードに応じて、釣銭としての硬貨を供給する放出口２２と、硬貨を回収する回収口２４とに搬送している。図３は出金搬送部の詳細を説明する構成ブロック図である。出金搬送部２０は、釣銭口２０２から放出された硬貨を略水平に搬送する搬送ベルト２０４、搬送ベルト２０４の放出口２２側に設けられた出金シャッタ２０６、搬送ベルト２０４の回収口２４側に設けられた回収シャッタ２０８を備えている。出金シャッタ２０６と回収シャッタ２０８は、循環釣銭部１８からの放出時に硬貨の放出すべき方向と逆側に設けられた口（放出口２２又は回収口２４）への放出を阻止している。
【００２８】
また、出金搬送部２０は、近傍に制御部３０を構成する基板２１０が設けられ、基板２１０の出力制御信号に従い回転動作する搬送モータ２１２、搬送モータ２１２の駆動力を搬送ベルト２０４に伝える搬送駆動ベルト２１４、基板２１０の開閉制御信号に従い出金シャッタ２０６・回収シャッタ２０８を開閉させるシャッタ駆動手段２１６を備えている。搬送状態検出部２２０は、搬送ベルト２０４の動作状態を検出するもので、ここで搬送ベルト２０４の従動軸に設けられた回転片２２２と、回転片２２２の回転状態を検出する検出センサ２２４を備えている。検出センサ２２４は回転片２２２が近接したり離れたりする状態を検出できる近接スイッチなどが用いられ、例えば光の反射を用いるものや、回転片２２２の近接を磁性や渦電流を用いて検出するものがある。
【００２９】
放出口２２は、出金搬送部２０の搬送ベルト２０４の一端側に設けられ、返却硬貨や釣銭硬貨が放出されるものである。放出された硬貨が取引装置の受皿（図示せず）へ放出される。回収口２４は、出金搬送部２０の搬送ベルト２０４の他端側に設けられ回収(全回収及び満杯による過剰回収)や釣銭異常の硬貨が放出されたものである。放出された硬貨が取引装置の回収庫２５へ放出される。補充口２６は、準備金として用意される循環釣銭部１８への硬貨補充を行うためのものである。
【００３０】
制御部３０は、硬貨処理装置２の各部の制御を行うもので、例えば８ビットのマイクロプロセッサが使用されている。図４は制御部の詳細を説明する構成ブロック図である。制御部３０は、投入貨幣記憶手段３０２、釣銭金額算出手段３０４、振分部制御手段３０６、比較手段３０８、異金種混入釣貨幣ストック管理手段３１２、釣銭部制御手段３２、搬送部制御手段３４、搬送状態検出手段３６並びにロック解除手段３８としての機能を発揮するプログラムがＲＯＭ等に格納されている。
【００３１】
投入貨幣記憶手段３０２は、識別部１４からの金種・計数情報を入力し、釣銭金額算出手段３０４、振分部制御手段３０６及び比較手段３０８にその情報を出力する。釣銭金額算出手段３０４は、投入貨幣記憶手段３０２による金額・計数情報と接客部５による利用金額情報を入力し、釣銭金額を算出する。釣銭金額算出手段３０４により算出された釣銭金額情報は、操作指示手段７に入力される。
【００３２】
振分部制御手段３０６は、投入貨幣記憶手段３０２からの金種・計数情報を基にリジェクト指示情報が振分部１６に出力され、入金されたリジェクト硬貨に対する振分部１６での動作を制御する。また、振分部制御手段３０６では、振分検出部１７の各センサの出力が収納・計数情報として入力され、循環釣銭部１８に収納する硬貨の金種と枚数を確認する。比較手段３０８は、投入貨幣記憶手段３０２と振分部制御手段３０６からの出力を比較し、その整合性を確認する。整合性が取れていない場合には、比較手段３０８はその金種を特定し、異金種混在情報を操作指示手段７へ送信する。
【００３３】
異金種混入釣貨幣ストック管理手段３１２には、比較手段３０８からの異金種混在情報が入力される。異金種混入釣貨幣ストック管理手段３１２では、入力された異金種混在情報を基に、異金種貨幣の混入した釣貨幣ストックについては釣貨幣の運用対象から外すもので、該当する釣貨幣ストックを記憶し、出金・返却時に必要となる判断情報が釣銭部制御手段３２及び操作指示手段７へ出力される。
【００３４】
釣銭部制御手段３２は、循環釣銭部１８からの放出動作、釣銭放出の際に生ずる異常に対する措置、例えば動作停止や保守要員への警報通知を行う。釣銭部制御手段３２は、搬送状態検出手段３６から送信される搬送ベルト２０４のロック状態を検出した旨の信号により、循環釣銭部１８からの硬貨放出を停止させる。釣銭部制御手段３２には、さらに縮退運用手段３２２、釣銭チケット発券手段３２４、釣貨幣払戻し判断手段３２６、異金種回収手段（貨幣回収制御手段）３２８が備えられている。
【００３５】
釣銭部制御手段３２の縮退運用手段３２２は、異金種混入釣貨幣ストック管理手段３１２からの判断情報が入力される。異金種混入釣貨幣ストック管理手段３１２では、異金種貨幣の混入したと判断された釣貨幣ストックの担当する金種よりも、小額の金種を担当する釣貨幣ストックから釣貨幣の払い出し等の縮退運用の制御が行われる。縮退運用の詳細に付いては後で説明する。
釣銭チケット発券手段３２４は、釣貨幣の支払額に相当する金額を表示するチケットの発券を制御する。縮退運用手段３２２による釣貨幣の代替放出による縮退運用ができない場合に、釣銭チケット発券手段３２４からの発券指示情報が操作指示手段７を経由して発券装置８に出力される。発券装置８は、釣銭チケットを発券する。
釣貨幣払戻し判断手段３２６は、小額の金種を担当する釣貨幣ストックにより釣貨幣の払戻しを行うのでは、釣貨幣の数量が過大になるか判断するもので、例えば硬貨のような補助貨幣に付いては２０枚を越えているか判断する（通貨の単位及び貨幣の発行等に関する法律第七条「貨幣は、額面価格の二十倍までを限り、法貨として通用する。」参照）。過大と判断された場合には、その旨が釣銭チケット発券手段３２４に出力される。
異金種回収手段３２８は、放出貨幣金種検出手段１９で不適当とされた貨幣を回収するように制御する。異金種回収手段３２８で不適当とされた貨幣は、利用者に引渡されることを防止する為、回収庫２５に回収される。また、この処理により異金種が回収された旨が、異金種混入釣貨幣ストック管理手段３１２へフィードバックされる。
【００３６】
搬送部制御手段３４は、出金搬送部２０の各駆動手段等を制御するもので、出金シャッタ２０６・回収シャッタ２０８を開閉するシャッタソレノイド等のシャッタ駆動手段２１６、搬送ベルト２０４を駆動する搬送モータ２１２等を制御している。搬送状態検出手段３６は、出金搬送部２０の搬送ベルト２０４の状態を検出センサ２２４からの信号により検出するもので、一定間隔で検出センサ２２４が回転片２２２の回転を検出していれば正常な搬送状態、しきい値時間以上検出センサ２２４が回転片２２２の回転を検出しない場合はロック状態と判断する。搬送ベルト２０４のロックが検出されると、搬送状態検出手段３６から釣銭部制御手段３２及びロック解除手段３８にロック検出信号が出力される。さらに、搬送状態検出手段３６は、搬送ベルト２０４のロック状態からの解除を検出する。
【００３７】
ロック解除手段３８は、搬送ベルト２０４のロックを解除するプログラムを備えている。ロック解除プログラムは、搬送部制御手段３４を介し搬送モータ２１２を逆転させたり、搬送モータ２１２への電力供給を制御して、搬送ベルト２０４が再び搬送できる状態に移行させる。
【００３８】
このように構成された装置の動作を、入金動作、出金動作、回収動作に分けて説明する。図５は入金動作を説明する流れ図である。まず、投入口１０に貨幣が投入されたか判断し（Ｓ１０２）、貨幣が投入された場合にはＳ１０２に行き、貨幣投入でないときは回収動作に行く。投入口１０に投入された貨幣としての硬貨は繰出部１２に収納され、一枚ずつ分離され識別部１４へ繰出される（Ｓ１０４）。識別部１４に搬送された硬貨は、識別部１４によつて金種が識別されると計数がなされ、識別処理が行われる（Ｓ１０６）。そして、識別部１４によりリジェクト硬貨に該当するか判断される（Ｓ１０８）。
【００３９】
識別部１４が、投入された硬貨を返却すべき硬貨（リジェクト硬貨）と識別した場合は、制御部３０の振分部制御手段３０６からの出力により、振分部１６の最前段に設けられたゲート（図示せず）を作動させる（Ｓ１５０）。ゲートが作動しても、誤ってリジェクト硬貨が循環釣銭部１８に収納される場合もあるため、リジェクト硬貨が循環釣銭部１８に収納されたか判断する（Ｓ１５２）。ゲートにて正当にリジェクト硬貨が処理されると、リジェクト硬貨は返却シュート１４２へ振り分けられ、返却口２１８を経由して放出口２２へ返却され（Ｓ１５４）、Ｓ１０２に戻る。
【００４０】
識別部１４が、投入された硬貨を通貨として識別したときは、識別部１４による金種及び計数データは制御部３０の投入貨幣記憶手段３０２へ出力され加算記憶される（Ｓ１１０）。そして、振分部１６に搬送された硬貨は、金種別の硬貨に振り分けられる（Ｓ１１２）。振分部１６の計数処理として、振分検出部１７により収納硬貨の金種及び枚数が情報として出力され、金種毎に加算されて記憶される（Ｓ１１４）。
【００４１】
振分検出部１７の出力と、投入貨幣記憶手段３０２による貨幣情報とが比較手段３０８に入力され、振り分け状態が監視される（Ｓ１１６）。そして、投入貨幣記憶手段３０２からの出力に対応する硬貨が、通過するはずのない振分検出部１７のセンサにて検出された場合、比較手段３０８により異金種の混在による振り分け異常と判断される（Ｓ１１６のＹ分岐）。すると、比較手段３０８から異金種混在情報が異金種混入釣貨幣ストック管理手段３１２と操作指示手段７に出力される。異金種混入釣貨幣ストック管理手段３１２では、入力された異金種混在情報をもとに、異金種貨幣の混入した釣貨幣ストックを記憶する（Ｓ１１８）。これ以後、釣銭部制御手段３２は記憶した釣貨幣ストックからの釣銭放出操作を停止させる。
【００４２】
次に、接客面５の利用者による取引操作に該当するか判断され（Ｓ１２０）、取引操作の場合には利用金額情報が操作指示手段７に出力され、その情報と投入貨幣記憶手段３０２による入金金額とが釣銭金額算出手段３０４に入力され、釣銭演算が行われる（Ｓ１２２）。釣銭金額算出手段３０４の算出結果により、釣銭がある場合は（Ｓ１２４）、釣銭金額情報が操作指示手段７に出力されると共に、出金動作へ移行する。釣銭がない場合は、取引装置により券発行等が行われる（Ｓ１２６）。
【００４３】
他方、取引操作の前に返却操作がなされたか判断し（Ｓ１２８）、返却操作がなされた場合も出金動作と同様な作動により入金金額が返却される(１３０)。返却操作がなされない場合、並びに入金金額が返却された場合は、Ｓ１０２に戻る。
【００４４】
図６は出金動作を説明する流れ図である。利用者の取引により釣銭がある場合は出金動作に移行する。制御部３０により入金金額と取引金額とが比較され、釣銭としての差額分の硬貨を放出すべく、操作指示手段７から釣銭部制御手段３２に釣銭指示情報が出力される。このとき、操作指示手段７(または釣銭部制御手段３２)により異金種混在による異常情報の有無が確認される（Ｓ２０２）。異常情報がなければ、循環釣銭部１８による通常の釣銭の放出動作に移行する。
【００４５】
操作指示手段７などに異常情報が記憶されている場合、異金種混入釣貨幣ストック管理手段３１２からの判断情報により代替処理が判断される（Ｓ２０４）。この判断情報が釣銭部制御手段３２の縮退運用手段３２２にフィードバックされ、釣銭の放出動作に移行する。循環釣銭部１８は釣銭部制御手段３２からの放出指示情報を基に、対応する各放出機構を作動し、硬貨を計数しながら出金搬送部２０へ放出する（Ｓ２０６）。このとき、出金搬送部２０の搬送ベルト２０４は停止しており、出金シャッタ２０６・回収シャッタ２０８も閉じられている。
【００４６】
そして、釣銭放出異常が発生しているか判断される（Ｓ２０８）。釣銭放出が正常であれば、循環釣銭部１８により出金搬送部２０に差額分の釣銭（あるいは返却）硬貨が全ての放出されると、出金シャッタ２０６を解放し、出金搬送部２０の搬送ベルト２０４を正転して、放出口２２に硬貨が搬送される（Ｓ２１０）。そして取引装置により券発行等が行われる（Ｓ２１２）。このようにして、出金動作が終了する。このとき回収シャッタ２０８が閉じられ、回収庫２５への放出が防止されている。
【００４７】
他方、循環釣銭部１８による釣銭放出が異常とされた場合は、出金搬送部２０の回収シャッタ２０８を解放し、搬送ベルト２０４を逆転し、回収庫２５に硬貨を収納して、放出硬貨の回収動作を行う（Ｓ２１４）。釣銭放出異常の検出回数が所定回数に到達するまでは、Ｓ２０６に戻って釣銭放出を続行する（Ｓ２１６）。もし、所定回数の釣銭動作によっても釣銭異常になった場合には、操作指示手段７から発券指示情報が発券装置８に出力され、利用者に処理対応方法が記載された券などが発行される（Ｓ２１８）。なお、Ｓ２０４の代替処理によっても不足金が発生する場合には、その旨が縮退運用手段３２２から釣銭チケット発券手段３２４へ出力される。その出力により釣銭チケット発券手段３２４から発券指示情報が、操作指示手段７を経由して発券装置８に出力され、利用者に処理対応方法が記載された券などが発行される。そして、図５のＳ１０２に戻る。
【００４８】
図７は回収動作を説明する流れ図である。ここで、回収は次の２類型がある。第１の類型は、取引装置の係員により行われるもので、循環釣銭部１８の全ての硬貨を回収する動作である。第２の類型は、循環処理により収納部が満杯となった場合に、対応する循環釣銭部１８の一部の硬貨のみについて回収する動作がある。以下の説明は、第１の類型について説明する。第２の類型については、第１の類型のうち、回収すべき硬貨の種類に注意して読みかえればよい。
【００４９】
まず、係員による取引装置の操作部の操作により、回収すべき回収指示情報が操作指示手段７に出力されたか判断する（Ｓ３０２）。回収指示情報のないときは、図５のＳ１０２に戻る。他方、回収指示情報のあるときは、操作指示手段７が入力された回収指示情報に従い、釣銭部制御手段３２及び搬送部制御手段３４へ回収指示情報に代わる釣銭指示情報を出力する。
【００５０】
出金搬送部２０は、搬送部制御手段３４からの搬送指示情報を基に、出金シャッタ２０６を閉鎖すると共に回収シャッタ２０８を解放して、搬送ベルト２０４を逆転する（Ｓ３０４）。また、搬送状態の検出を開始する。循環釣銭部１８は釣銭部制御手段３２からの放出指示情報を基に、全ての放出機構を作動させ、収納部の硬貨を出金搬送部２０の搬送ベルト２０４に放出する（Ｓ３０６）。このとき、出金搬送部２０では搬送状態が監視され、ロック状態が検出された場合にはロック解除動作が行われる。循環釣銭部１８から放出された硬貨は、搬送ベルト２０４により回収口に搬送され回収庫２５に収納される（Ｓ３０８）。
【００５１】
次に、循環釣銭部１８から異金種を含めて全ての硬貨が放出されたか判断され（Ｓ３１０）、循環釣銭部１８から全ての硬貨が放出されると、操作指示手段７・異金種混入釣貨幣ストック管理手段３１２などに記憶されている異金種の混在に関する異常情報がリセットされる（Ｓ３１０）。他方、循環釣銭部１８に硬貨が残ってしまった場合には、係員により原因となっている異金種が取り除かれ（Ｓ３１２）、操作部からのリセット指示情報の入力により（Ｓ３１４）、放出機構内の硬貨無しが確認されると同様に異金種の混在に関する情報がリセットされる（Ｓ３１６）。
【００５２】
図８は縮退運用を説明する流れ図である。ここで縮退運用とは、何らかの都合により各金種別の循環釣銭部１８に異金種が混在した場合、この硬貨を釣銭として放出すると「現金トラブル」が発生するため、該当する金種の循環釣銭部１８の使用を一時的に禁止し、他の金種にて代替え放出を行う機能をいう。
【００５３】
まず、振分検出部１７により、循環釣銭部１８に格納される貨幣の金種を検出する（Ｓ４０２）。そして、格納されるべき貨幣の金種と異なる金種の貨幣が、循環釣銭部１８に格納されたことが振分検出部１７により検出されたか判断し（Ｓ４０４）、検出されれば異金種混入釣貨幣ストック管理手段３１２により、異金種貨幣の混入した金種の釣貨幣ストックについては釣貨幣の運用対象から外す（Ｓ４０６）。
【００５４】
そして、縮退運用手段３２２により、異金種貨幣の混入した釣貨幣ストックの担当する金種よりも小額の金種を担当する循環釣銭部１８により釣貨幣の支払いが可能か判断する（Ｓ４０８）。支払い可能な場合には、さらに釣貨幣払戻し判断手段３２６により、釣貨幣の数量が、通貨としての通用力が認められないような過大な数量か判断する（Ｓ４１０）。もし小額の金種による支払いができない、または過大であれば、釣銭チケット発券手段３２４により釣貨幣に代わる釣銭チケットを発券する（Ｓ４１２）。異金種貨幣の混入した釣貨幣ストックがない場合や、釣貨幣の枚数が通貨としての通用力が認められる適正な範囲内であれば、循環釣銭部１８により釣貨幣の支払いを行う（Ｓ４１４）。
【００５５】
図９は縮退運用の詳細を説明する図である。ここでは、投入された硬貨がリジェクト硬貨、５０円硬貨、１００円硬貨、１０円硬貨、５００円硬貨の場合に分けて、６６０円の釣銭を支払う場合を示している。また、釣銭として最小貨幣価値を有する金種として１０円である場合を説明し、１円と５円はリジェクト硬貨として取扱うものとする。
【００５６】
図において、符号『●』は入金振分処理時、振分検出部１７により異金種が混在した可能性がある金種の循環釣銭部１８と認識された場合を示している。符号『※』は、１０円の循環釣銭部１８に１０円以外の異金種貨幣が混入した場合を示している。１０円は、釣銭として取扱う最小貨幣価値を有する金種に対応するため、他の金種を用いた代替放出による縮退運用ができない。そこで、釣銭チケット発券手段３２４等による発券等による異常処理を行う。
【００５７】
符号『▽』は、放出貨幣金種検出手段１９を備え、異金種回収手段３２８により装置内への回収が可能な金種の循環釣銭部１８を示している。ここでは、５００円硬貨については、外形選別機能による放出貨幣金種検出手段１９を有しており、異金種が放出された場合には、異金種回収手段３２８により回収を行う。但し、入金された異金種がリジェクト硬貨と認識された場合には、外形判断のみでは変造硬貨等のように異金種と特定できない場合があるため、保守担当者のコールのような異常処理がなされるまで、縮退運用を行う。異金種回収手段３２８により異金種が放出され装置内に回収されると、この金種の循環釣銭部１８についての異金種貨幣の混入情報はリセットされる。
【００５８】
符号『６６枚』は、通貨の単位及び貨幣の発行等に関する法律第七条の規定に鑑み、釣銭チケット発券手段３２４により釣貨幣に代わる釣銭チケットを発券することを示している。なお、図９の各欄の放出枚数は、各金種の循環釣銭部１８に釣銭があり、放出時の異常もない場合を示している。仮に放出時に異常が発生した場合には、釣銭として取扱う最小貨幣価値を有する１０円硬貨の未放出に対しては発券などの異常処理にて対処し、それ以外の場合には放出を停止した金種より低い金種により代替支払いを行うと良い。
【００５９】
なお、上記実施の形態においては貨幣処理装置として硬貨の場合を示したが、本発明はこれに限定されるものではなく、日本銀行券のような１０００円紙幣、５０００円紙幣、１００００円紙幣に対しても、同様に適用できる。
【００６０】
【発明の効果】
以上説明したように、本発明の硬貨処理装置によれば、振分金種検出手段により異金種貨幣の混入した釣貨幣ストックを検出した場合には、異金種混入釣貨幣ストック管理手段により異金種貨幣の混入した釣貨幣ストックについては釣貨幣の運用対象から外すと共に、縮退運用手段により、異金種貨幣の混入したと判断された釣貨幣ストックの担当する金種よりも、小額の金種を担当する釣貨幣ストックにより釣貨幣の支払いを行う構成としているので、貨幣処理装置の運用を継続して、利用者の便宜を確保する。特に、係員が貨幣処理装置に対して遠方にいる場合や、係員等がいない無人施設に設ける取引装置に用いて有効である。
【図面の簡単な説明】
【図１】  本発明の一実施の形態を示す取引装置の全体構成ブロック図を表したものである。
【図２】  硬貨処理装置の側面図である。
【図３】  出金搬送部の詳細を説明する構成ブロック図である。
【図４】  制御部の詳細を説明する構成ブロック図である。
【図５】  入金動作を説明する流れ図である。
【図６】  出金動作を説明する流れ図である。
【図７】  回収動作を説明する流れ図である。
【図８】  縮退運用を説明する流れ図である。
【図９】  縮退運用の詳細を説明する図である。
【符号の説明】
１…貨幣処理装置
２…硬貨処理装置
１０…投入口
１２…繰出部
１４…識別部
１６…振分部
１７…振分金種検出手段
１８…循環釣銭部
１９…放出貨幣金種検出手段
２０…出金搬送部
２２…放出口
２４…回収口
２６…補充口
３０…制御部
３１２…異金種混入釣貨幣ストック管理手段
３２２…縮退運用手段
３２４…釣銭チケット発券手段
３２６…釣貨幣払戻し判断手段
３２８…異金種回収手段
３８…ロック解除手段
【図１】
0004117124.tif 000002
【図２】
0004117124.tif 000003
【図３】
0004117124.tif 000004
【図４】
0004117124.tif 000005
【図５】
0004117124.tif 000006
【図６】
0004117124.tif 000007
【図７】
0004117124.tif 000008
【図８】
0004117124.tif 000009
【図９】
0004117124.tif 000010